(57)【特許請求の範囲】
【請求項１】
光源と、
この光源からの光を照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を通過させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備えたイメージセンサ。
【請求項２】
光源と、
この光源からの光を照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を通過させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備え、前記第１ミラーに入射した光は隣接するアレイ毎に異なる副走査方向に前記散乱光を反射させることを特徴とするイメージセンサ。
【請求項３】
光源と、
この光源からの光を照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を入反射させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備えたイメージセンサ。
【請求項４】
光源と、
この光源からの光を照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を入反射させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備え、前記第１ミラーに入射した光は隣接するアレイ毎に異なる副走査方向に前記散乱光を反射させることを特徴とするイメージセンサ。
【請求項５】
主走査方向に亘って光を照射する光源と、
この光源からの光を入射し、副走査方向に光を導光すると共に射出面で全反射した光を被照射体の照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を通過させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備えたイメージセンサ。
【請求項６】
主走査方向に亘って光を照射する光源と、
この光源からの光を入射し、副走査方向に光を導光すると共に射出面で全反射した光を被照射体の照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を通過させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備え、前記第１ミラーに入射した光は隣接するアレイ毎に異なる副走査方向に前記散乱光を反射させることを特徴とするイメージセンサ。
【請求項７】
主走査方向に亘って光を照射する光源と、
この光源からの光を入射し、副走査方向に光を導光すると共に射出面で全反射した光を被照射体の照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を入反射させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備えたイメージセンサ。
【請求項８】
主走査方向に亘って光を照射する光源と、
この光源からの光を入射し、副走査方向に光を導光すると共に射出面で全反射した光を被照射体の照射部に照射する導光体と、
被照射体で反射した光の散乱光を入射し、副走査方向に反射させるアレイ状に配置した第１ミラーと、
この第１ミラーからの光をコリメートし、略平行光線束として反射させるアレイ状に配置した凹形の第１非球面ミラーと、
周囲が遮光され、選択的に光を通過させるアレイ状に配置した開口部を介して前記第１非球面ミラーからの光を入反射させるアレイ状に配置したアパーチャーと、
このアパーチャーからの光を入射し、収束光として反射させるアレイ状に配置した凹形の第２非球面ミラーと、
この第２非球面ミラーで収束される光の光路上に設けられ、副走査方向に対して垂直方向に光を反射するアレイ状に配置した第２ミラーと、
この第２ミラーからの光を入射し、前記開口部からの光に対応して結像する受光領域を有する受光部と、
前記光源、前記導光体、前記第１ミラー、前記第２ミラー、前記第１非球面ミラー、前記第２非球面ミラー、前記アパーチャー及び前記受光部を収納又は保持する筐体と、
を備え、前記第１ミラーに入射した光は隣接するアレイ毎に異なる副走査方向に前記散乱光を反射させることを特徴とするイメージセンサ。
【請求項９】
前記筐体は、前記光源と前記導光体とを収納する照明ユニットと、前記前記第１ミラー、前記第２ミラー、前記第１非球面ミラー、前記第２非球面ミラー、前記アパーチャー及び前記受光部を収納又は保持する結像ユニットとに分割されている請求項１乃至８のいずかれに記載のイメージセンサ。
【発明の詳細な説明】
【技術分野】
【０００１】
この発明は、複写機や金融端末装置などの画像読み取りや画像識別に用いるイメージセンサに関するものである。
【背景技術】
【０００２】
画像情報を読み取るイメージセンサとして、例えば、特開平２−１７７７６１号公報図１（特許文献１参照）には、ＬＥＤアレイ３、ロッドレンズアレイ５及びセンサモジュール４０を各面に支持したシャーシ５１と、このシャーシ５１を覆うように構成したシャーシ５２で互いに固定した光センサ装置が開示されている。
【０００３】
特開平１１−２１５３０１号公報図１（特許文献２参照）には、２つの内壁面１５ａ，１５ｂによって挟まれた照射用光路１４の高さ方向中間部に傾斜角度が相違する２つの傾斜面部１６ａ，１６ｂを設け、それらがＬＥＤチップ６の上方に位置し、上部側になるほど画像読み取り領域Ｓに接近するように構成した画像読み取り装置が開示されている。
特開平１１−８７４２号公報図２（特許文献３参照）には、光源１１で照明された原稿１０の読み取り画像をミラーアレイ第１ミラーアレイ１３と第２ミラーアレイ１４とで結像させる読取装置が開示されている。
【０００４】
特開平１０−２９０３３６号公報図１（特許文献４参照）には、画像読み取り装置本体に反射用照明ユニット１８、反射原稿用結像レンズ２３及び固体撮像素子２４が組み込まれた画像読み取り装置が開示されている。
【０００５】
【特許文献１】特開平２−１７７７６１号公報（第１図）
【０００６】
【特許文献２】特開平１１−２１５３０１号公報（第１図）[段落００３５]
【０００７】
【特許文献３】特開平１１−８７４２号公報（第２図）
【０００８】
【特許文献４】特開平１０−２９０３３６号公報（第１図）
【発明の開示】
【発明が解決しようとする課題】
【０００９】
しかしながら、特許文献１に記載のものは、各面を加工したシャーシ５１にＬＥＤアレイ３、ロッドレンズアレイ５及びセンサモジュール４０を支持するので、ＬＥＤアレイ３による照明光学系とロッドレンズアレイとセンサモジュール４０で構成する結像光学系とが合体した構成となるのでシャーシ５１の精密な加工精度が要求されると共に光の照射経路から画像の結像までの光路調整が複雑になるという課題があった。
【００１０】
特許文献２に記載のものは、照射用光路１４の下部にＬＥＤチップ６を設け、ＬＥＤチップ６から照射して光を上方の傾斜部１６ａ、１６ｂで反射させて上部側に位置する画像読み取り領域Ｓを照明するので、照射経路が高さ方向に長くなり、比較的大きなサイズの画像読み取り装置になるという課題があった。
【００１１】
特許文献３に記載のものは、結像光学系にミラーアレイが用いられているものの、照明光学系の具体的設置位置や照射方法並びにミラーアレイの具体的設置位置に関する詳細な記載が無い。
【００１２】
特許文献４に記載のものは、反射ミラー１９〜２１、反射用照明ユニット１８、反射原稿用結像レンズ２３及び固体撮像素子２４をキャリッジ枠体１７の周囲に分散配置しているものの、照明光学系と結像光学系との具体的な結合などについては記載されていない。
【００１３】
この発明は、上述のような課題を解決するためになされたものであり、被照射体を照明する筐体と、被照射体から入射する光情報を結像する筐体とが分離可能な平板形状のコンパクトなイメージセンサを提供することを目的とする。
【課題を解決するための手段】
【００１４】
請求項１に係る発明のイメージセンサは、光源と、この光源からの光を照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を通過させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体と、を備えたものである。
また、請求項２に係る発明のイメージセンサは、光源と、この光源からの光を照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を通過させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体と、を備え、前記第１ミラーに入射した光は隣接するアレイ毎に異なる副走査方向に前記散乱光を反射させることを特徴とするものである。
【００１５】
請求項３に係る発明のイメージセンサは、光源と、この光源からの光を照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を入反射させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体と、を備えたものである。
また、請求項４に係る発明のイメージセンサは、光源と、この光源からの光を照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を入反射させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体と、を備え、前記第１ミラーに入射した光は隣接するアレイ毎に異なる副走査方向に前記散乱光を反射させることを特徴とするものである。
【００１６】
請求項５に係る発明のイメージセンサは、主走査方向に亘って光を照射する光源と、この光源からの光を入射し、副走査方向に光を導光すると共に射出面で全反射した光を被照射体の照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を通過させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体とを備えたものである。
【００１７】
請求項６に係る発明のイメージセンサは、主走査方向に亘って光を照射する光源と、この光源からの光を入射し、副走査方向に光を導光すると共に射出面で全反射した光を被照射体の照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を通過させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体とを備え、前記第１ミラーに入射した光は隣接するアレイ毎に異なる副走査方向に前記散乱光を反射させることを特徴とするものである。
【００１８】
請求項７に係る発明のイメージセンサは、主走査方向に亘って光を照射する光源と、この光源からの光を入射し、副走査方向に光を導光すると共に射出面で全反射した光を被照射体の照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を入反射させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体とを備えたものである。
【００１９】
請求項８に係る発明のイメージセンサは、主走査方向に亘って光を照射する光源と、この光源からの光を入射し、副走査方向に光を導光すると共に射出面で全反射した光を被照射体の照射部に照射する導光体と、被照射体で反射した光の散乱光を入射し、副走査方向に反射させるアレイ状に配置した第１ミラーと、この第１ミラーからの光をコリメートし、略平行光線束として反射させるアレイ状に配置した凹形の第１非球面ミラーと、周囲が遮光され、選択的に光を通過させるアレイ状に配置した開口部を介して前記第１非球面ミラーからの光を入反射させるアレイ状に配置したアパーチャーと、このアパーチャーからの光を入射し、収束光として反射させるアレイ状に配置した凹形の第２非球面ミラーと、この第２非球面ミラーで収束される光の光路上に設けられ、副走査方向に対して垂直方向に光を反射するアレイ状に配置した第２ミラーと、この第２ミラーからの光を入射し、前記開口部からの光に対応して結像する受光領域を有する受光部と、前記光源、前記導光体、前記第１ミラー、前記第２ミラー、前記第１非球面ミラー、前記第２非球面ミラー、前記アパーチャー及び前記受光部を収納又は保持する筐体とを備え、前記第１ミラーに入射した光は隣接するアレイ毎に異なる副走査方向に前記散乱光を反射させることを特徴とするものである。
【００２０】
請求項９に係る発明のイメージセンサは、前記筐体は前記光源と前記導光体とを収納する照明ユニットと、前記前記第１ミラー、前記第２ミラー、前記第１非球面ミラー、前記第２非球面ミラー、前記アパーチャー及び前記受光部を収納又は保持する結像ユニットとに分割されている請求項１乃至８のいずかれに記載のものである。
【発明の効果】
【００２１】
この発明に係るイメージセンサによれば、照明光学系から原稿などの被照射体に照射する照射経路と被照射体で反射した散乱光を受光するまでの結像経路とを区分けが容易なので、結像光学系に焦点深度が深いテレセントリック光学系を用いた場合であっても容易に組替え可能なイメージセンサを得る効果がある。
【００２２】
また、請求項５乃至８に係るイメージセンサによれば、導光体の導光路に沿って副走査方向に光を導光させ、導光体の射出面で全反射した光をそのまま導光体内部から外部に放射して被照射体の照射部を照射するので、照明光学系部分を構成する筐体部分の構造が平板形の構造となり、結像光学系部分を構成する筐体部分とが容易に分離設計可能なコンパクトなイメージセンサとなるという効果がある。
【発明を実施するための最良の形態】
【００２３】
実施の形態１．
以下、この発明の実施の形態１に係るイメージセンサ（ＣＩＳとも呼ぶ）ついて図１を用いて説明する。図１は、実施の形態１によるイメージセンサの断面図である。図１において、１は文書やメディアなどの被照射体（原稿とも呼ぶ）、２は被照射体１を支持する天板、３は光を伝搬させる導光体、３ａは導光体３の出射領域（射出部  出射部とも呼ぶ）、４は光を通過させる透過体、５は被照射体１に対する光の照射部、６は照射部５からの散乱光を副走査方向に反射させる第１ミラー、７は第１ミラー６からの反射光を受光する凹型の第１レンズミラー（第１レンズ  第１非球面ミラーとも呼ぶ）、８は第１レンズ７からの平行光を受光するアパーチャー、９はアパーチャー８からの透過光を受光する凹型の第２レンズミラー（第２レンズ  第２非球面ミラーとも呼ぶ）、１０は周囲が遮光され、アパーチャー８を通過する光の色収差を緩和するアパーチャー８の表面又は近傍に設けた開口部、１１は第２レンズ９からの光を受光し、反射させる第２ミラーである。
【００２４】
１２は開口部１０を通過した第２レンズ９からの反射光を第２ミラー１１を介して受光し、光電変換する光電変換回路及びその駆動部からなるＭＯＳ半導体構成のセンサＩＣ（受光部とも呼ぶ）、１３はセンサＩＣ１２を載置するセンサ基板であり、第１センサ基板１３ａと第２センサ基板１３ｂからなる。１４はセンサＩＣ１２で光電変換された信号を信号処理する信号処理ＩＣ（ＡＳＩＣ）、１５はセンサ基板１３に載置されたコンデンサ、抵抗器などの電子部品、１６はレンズやミラーで構成した結像手段（レンズ体）である結像光学系を収納する筐体である。１７は照明光学系と結像光学系との境界に設けられたウレタンシートなどで構成した弾性部材、１８は被照射体１からの光を通過させるスリットである。１９はＡＳＩＣ１４などを載置する信号処理基板、２０はセンサ基板１３と信号処理基板１９とを電気接続する内部コネクタである。なお、照明光学系を構成する光の照射源及び導光体３を除き被照射体１からの反射光（散乱光）が伝搬し、レンズやミラーなどで構成した結像光学系を収納する筐体部分を結像ユニット（結像光学系ユニット）と呼ぶ。図中、同一符号は、同一又は相当部分を示す。
【００２５】
図２は、図１に示した断面図の主走査方向の別位置における断面図であり、光の伝搬経路を形成する結像光学系部分は、読み取り位置に対して図１に示すものとシンメトリーの構造となっている。図中、図１と同一符号は同一又は相当部分を示す。
【００２６】
図３は、この発明の実施の形態１による画像読取装置に搭載する６ｍｍピッチでアレイ状に設置した結像光学系内部の光の流れを説明する模式平面図である。図３において、２１は６ｍｍピッチ単位で個別に主走査方向にちどり配置構成とした光学セル（ホルダー）、２２は第２レンズ９からの反射光がセンサＩＣ１２で受光される経路において隣接する光学セル２１相互の光の干渉を防止する黒色で遮光すると共に光学セル２１と一体形成した遮光壁（遮光板）である。
【００２７】
主走査方向（原稿１の読み取り幅方向）に延在する読み取りラインを中心に受光ラインは両側に形成され、隣接する各光学セル２１はアレイ状に設けられ交互にシンメトリーの構造となっている。個々の光学セル２１中心付近で読み取られた画像を形成する光線は、中央付近を折り返し反射しセンサＩＣ１２の受光ラインで受光され、光学セル２１境界（端部）付近で読み取られた画像を形成する光線は、当該光学セル２１の反対方向端部付近に位置するセンサＩＣ１２の受光ラインで受光される。図中、図１と同一符号は、同一又は相当部分を示す。
【００２８】
図４は、この発明の実施の形態１によるイメージセンサの全体構成図であり、図４（ａ）は各側面を参照図示した平面図、図４（ｂ）は照明光学系と結像ユニットとを分離した場合の側面参考図である。図４において、２３はＲＧＢ又は擬似白色発光する主走査方向にアレイ状に配列した光源（ＬＥＤアレイ光源）、２３ａはＬＥＤアレイ光源２３を構成する個々のＬＥＤチップ、２３ｂは光源２３に電力を供給するＬＥＤケーブルである。２４は光源２３を収納する照明側筐体である。２５は照明側筐体２４と結像ユニットとを固定する固定用ねじ、２６は照明光学系側筐体２４と結像光学系筐体１６とを位置決めする位置決めピンである。２７はＣＩＳを駆動する入出力インターフェース用の外部コネクタである。なお、少なくとも光源２３と導光体３とを収納する筐体部分を照明ユニット（照明光学系ユニット）と呼ぶ。
【００２９】
図５は第１センサ基板１３ａと第２センサ基板１３ｂとを平行配置したセンサ基板１３の平面図である。２０は内部コネクタ設置領域を示す。なお、センサ基板１３ａ、センサ基板１３ｂに直線的に配置するセンサＩＣ１２は互いに平行であるものの、照射部５から反射されてくるイメージ情報に対して互いに補間的に読み取るので、直線的に配置した隣接するセンサＩＣ１２間は隙間が有っても良く、直線的に配置した平行する２ラインのなかでは互いにちどり配置となっていても良い。
【００３０】
図６はセンサＩＣ１２の平面図であり、２８は１画素（ビット)に対して赤色（Ｒ）、緑色（Ｇ）及び青色（Ｂ）からなるゼラチン材などで構成したＲＧＢフィルタを受光面に配置した光電変換部（画素とも呼ぶ）、２９は画素２８に入射した光をＲＧＢごとに光電変換し、その出力を保持し、駆動する光電変換・ＲＧＢシフトレジスタ駆動回路、３０はセンサＩＣ１２に信号や電源を入出力するワイヤボンディングパッド部である。
【００３１】
図７は、実施の形態１によるイメージセンサのブロック構成図であり、３１はセンサＩＣ１２で光電変換された信号を増幅する増幅器、３２は増幅された光電変換出力をアナログ・デジタル変換するアナログデジタル変換器（Ａ／Ｄ変換器）、３３はＲＧＢ各色のデジタル出力を信号処理する信号処理部、３４はＣＩＳとシステム本体側との信号をやりとりするシステムインターフェース、３５は各色のイメージ情報を収納するＲＡＭ、３６はＣＰＵ、３７は光源駆動回路である。
【００３２】
次にこの発明の実施の形態１によるイメージセンサの動作について説明する。図７において、システム本体からのシステムコントロール信号（ＳＹＣ）とシステムクロック信号（ＳＣＬＫ）信号に基づき、システムインターフェース３４を経由して信号処理ＩＣ（ＡＳＩＣ）１４のクロック信号（ＣＬＫ）とこれに同期したスタート信号（ＳＩ）がセンサＩＣ１２に出力され、そのタイミングによりセンサＩＣ１２から各画素（ｎ）の連続したアナログ信号が読み取りライン（ｍ）毎に出力される。アナログ信号は図８に示す例では７２００画素分を順次出力し、図９に示す分割出力とした例では１４４画素を単位として出力する。
【００３３】
増幅器３１で増幅されたアナログ信号は、Ａ／Ｄ変換器３２でＡ／Ｄ変換してデジタル信号に変換され、Ａ／Ｄ変換後に各画素（ビット）の信号出力をシェーディング補正や全ビット補正を行う補正回路で処理される。この補正は、あらかじめ白原稿などの基準テストチャートで読み込んだデータを均一化処理した補正データを記憶したＲＡＭ３５から補正データを読み出し、Ａ／Ｄ変換されたイメージ情報に相当するデジタル信号を演算加工することにより行う。このような一連の動作はＣＰＵ３６の制御により行われる。この補正データは、センサＩＣ１２の各素子間の感度ばらつきや各光源２３の不均一性を補正するためのものである。
【００３４】
次に実施の形態１によるイメージセンサの駆動タイミングについて図７及び図１０を用いて説明する。図７及び図１０において、ＣＰＵ３６に連動してＡＳＩＣ１４は光源点灯信号（ＬＣ）をＯＮし、それを受けて光源駆動回路３７は各光源２３に所定時間電源を供給することにより、ＲＧＢ光源２３は白色光を発する。連続的に駆動するＣＬＫ信号に同期してスタート信号（ＳＩ）はセンサＩＣ１２のＲＧＢ駆動回路を形成する各素子（画素）のシフトレジスタの出力を順次ＯＮし、対応するスイッチ群がＳＩＧ（ＳＯ）ラインを順次開閉することでＣＬＫに同期したＲＧＢのイメージ情報（画像出力）を得る。この画像出力は前ラインで読み込み蓄積した各イメージの出力である。なお、ＣＮＴはカラー／モノクロ切替信号であり、通常、カラーモードの場合はハイレベルとする。１ラインの各色読み取り区間にはＢＬＫ（ブランキング）時間を設定し、露光時間の設定可変を行う。従ってＢＬＫ区間はすべてのＳＩＧ（ＳＯ）は開放される。
【００３５】
次に順次出力される画像信号ＳＩＧ（ＳＯ）について図１１を用いて説明する。図１１は主走査方向に対する光の経路を説明する原理図であり、照射部５は被照射体１の厚みにより、搬送面と直角方向に対して変化するが、被照射体１のイメージ情報となる散乱光は副走査方向に反射させる第１ミラーを介して被照射体（原稿）１の面に点光源を仮定したしたときに光をコリメートして、略平行光線束として反射させるレンズに入射する。アレイ状に配列した各レンズからの光は、６ｍｍピッチで離散的に設置したアパーチャー８の窓（開口部１０）には略平行光線束が照射される。さらに窓１０から放射する光は各アレイごとに光の干渉を防止する遮光板２２を設けたレンズを介して光束ごとにセンサＩＣ１２に入射するので画像情報はセンサＩＣ１２の受光面では倒立像となって結像する。従って、各センサＩＣ１２の受光部の画素２８に結像される画像情報は原稿など被照射体１に対して逆像となる。ＳＩＧ（ＳＯ）信号はセンサＩＣ１２の駆動回路に設けられたシフトレジスタ順次スイッチング信号によりＲＧＢごとに３系列でアナログ信号が同時に出力される。
【００３６】
図１２は、アレイ状に配列した光学系の同一副走査方向に光を放射するアレイの主走査方向に対する光の経路を説明する原理図であり、２列に平行に併設されたセンサＩＣ１２（１２ａ、１２ｂで表示）に実効入射する光は、隣接するアレイ毎に異なることを示す。
【００３７】
図１３は、Ａ／Ｄ変換されたＲＧＢ信号の逆像データの並べ替えと信号処理を説明する図であり、１４４ビット毎にデータを並べ替え、その後信号処理を行う場合を示す。図１３において、各々のＲＧＢ（ＳＯ）信号は、シフトレジスタ回路で左シフトさせたデータをシフトレジスタ回路で構成された各セルに収納し、ラッチ（ＬＡ）し、その後、ライト信号（ＷＲ）で順次、センサＩＣ１２の１番目のセルからＳＩＧ（ＳＯ）として並べ替えたデータをＲＡＭ３５に収納し、補正演算処理が行われる。本実施の形態１では２系列のセンサＩＣ１２ａ、１２ｂからの信号を信号処理するので、次段の比較・照合・間引・修復回路でさらに信号処理する。
【００３８】
図１４は、比較・照合・間引・修復回路を説明するブロック図である。逆像データ並べ替え後、ＲＡＭ３５の一部であるＲＡＭ１、ＲＡＭ２領域に収納したデータを順次出力としてシフトレジスタに入力し、アレイ境界領域のそれぞれのＲＡＭ３５（ＲＡＭ１、ＲＡＭ２）データを比較・照合する。比較・照合は、隣接するアレイ毎に副走査方向に光の経路を反転させているので、同じ側にあるアレイと反対側にあるアレイとの空間や遮光壁となる遮光板２２による幾分の不要光による反射などによる主走査方向のゴーストを改善するためであり、シフトレジスタの該当位置にある画素の情報を比較後差分し、画像データ出力の重み付けを行う。最外画素のデータほど重み付けを大きくし、内部画素になるほど重み付けを小さくする。また、内部画素領域では、一方の正規反射された光の領域は正規データとし、正規反射されない光の領域は無効データとする。これらのデータはマルチプレクサ回路でアドレス変換してから出力される。また、センサ基板１３をちどり配置した場合においては、正規データと無効データ領域とをちどり配置の重なりに沿って補間すべきデータ領域を設定する。
【００３９】
この補正演算処理された画像データは、特開平８−２８９６６号公報図１に示すようにデータ解析、データ修復などを含むカラーマネジメントシステムで色変換及び色管理エンジンなどにより、システムインターフェース３４を介してＳＩＧ（ＲＧＢ）カラーデータとして出力される。
【００４０】
図１５は副走査方向の光学距離について説明する図であり、第１レンズ７の一方の焦点位置は、変動する被照射体１の照射部５と略一致しており、他方の焦点位置はアパーチャー８と一致している。また、第２レンズ９の一方の焦点位置は、アパーチャー８と一致しており、他方の焦点位置は受光面と一致している。すなわち、Ｌ３＝Ｌ１＋Ｌ２、Ｌ４＝Ｌ５＋Ｌ６の関係がある。図１６は光の経路に加えて光束を具現化した模式図であり、アパーチャー８には平行光が通過することを示している。
【００４１】
図１７は本実施の形態１における隣接するアレイ状の光学系を合わせた副走査方向の光の経路を具現化したものであり、第１レンズ７から第２レンズ９までの光学距離Ｌ３及びＬ４は略平行光である。なお、第１ミラー６から副走査方向に反射させる散乱光はミラー対象であれば隣接するアレイ毎にどちらの方角に放射しても良く、受光面に設置される受光部２８もＬ４＝Ｌ５＋Ｌ６を満足すれば任意の位置でよい。
【００４２】
なお、図１及び図２において照射部５からの反射光の光軸を微少傾斜させた構成としているが、光学セル２１をアレイ状にちどり配置構成した境界領域の信号処理を確実に行なうためであり、ちどり配置構成ではないＣＩＳや、解像度の低い又は読み取りスピードの遅いＣＩＳにおいては搬送方向に対して垂直方向の光軸としても良い。
【００４３】
以上から実施の形態１に係るイメージセンサによれば、光源から照射した光を導光体内部で副走査方向に伝搬させて導光体の出射部から被照射体を照明する照明ユニットと、被照射体から入射する光情報を結像する結像ユニットとを分離し、位置決めピンで位置合わせし、ねじで結合させたので、平板形状のコンパクトなイメージセンサを得る効果がある。
【００４４】
実施の形態２．
実施の形態１では、副走査方向に光を導光すると共に射出面で全反射した光を被照射体の照射部に照射する導光体とテレセントリック光学系の結像手段を用いて説明したが実施の形態２では、結像手段にロッドレンズアレイを用いた場合について説明する。
【００４５】
この発明の実施の形態２に係るイメージセンサついて図１８を用いて説明する。図１８は、実施の形態２によるイメージセンサの断面図である。図１８において、５０はロッドレンズアレイなどのレンズ体（結像手段）である。５１は受光部１２を載置するセンサ基板、５２は信号処理基板、５３はセンサ基板５１と信号処理基板５２との信号や電源の受け渡しをする内部コネクタである。図中、図１及び図４と同一符号は、同一又は相当部分を示す。
【００４６】
次に動作について説明する。図１８において、主走査方向に延在する光源２３から照射された光は導光体３内部を副走査方向に伝搬し出射領域３ａで全反射し被照射体１の照射部５を照明する。被照射体１で反射した光の散乱光はロッドレンズアレイ５０で収束し、ロッドレンズアレイ５０で収束された光は受光部１２で受光される。受光部１２で光電変換されたアナログ信号はセンサ基板５１を介して信号処理基板５２で信号処理される。本実施の形態２では受光部１２に入射した光に対応する受光部１２は一列に直線配置されているので通常の信号処理がなされる。
【００４７】
以上から実施の形態２に係るイメージセンサによれば、光源から照射した光を導光体内部で副走査方向に伝搬させて導光体の出射部から被照射体を照明する照明ユニットと、被照射体から入射する光情報を結像する結像ユニットとを分離し、実施の形態１同様に位置決めピンで位置合わせし、ねじで結合させることで、平板形状のコンパクトなイメージセンサを得る効果があると共にロッドレンズアレイなどを用いた普及タイプのイメージセンサにも適用可能である。
【００４８】
実施の形態３．
実施の形態１、２では光源は副走査方向主体に光を放出させる構造としたが実施の形態３では導光体に複数の全反射面を設けた場合について説明する。
【００４９】
この発明の実施の形態３について、図１９を用いて説明する。図１９は、実施の形態３によるイメージセンサの断面図である。図１９において、６０は内部で光を全反射させ副走査方向に光を伝搬する導光体、６０ａは光源２３から照射された光を副走査方向に全反射させる第１反射面、６０ｂは副走査方向に伝搬してきた光を被照射体１の照射部５に照射される射出部（第２反射面）である。その他の構成は実施の形態１で説明した内容と同一である。図中、図１及び図４と同一符号は、同一又は相当部分を示す。
【００５０】
以上から実施の形態３に係る画像読取装置によれば、光源から照射した光を導光体内部で全反射させてから副走査方向に伝搬させるので光源を平面上に設置でき、照明ユニットの設計自由度が向上するという効果がある。
【００５１】
実施の形態４．
また、導光体の全反射面において効率良く副走査方向に全反射させるために図２０に示すように光源２３から全反射面６０ａまでの距離を延長した導光体６１を用いても良く、図２１に示すようにさらに光源２３から全反射面６０ａまでの距離を延長した導光体６２としても良い。また、図２２に示すように光源２３は信号処理基板１９を大きくして信号処理基板１９上に設置しても副走査方向に光を導光する領域はすべて同一なので相応の効果がある。
【００５２】
実施の形態４に係るイメージセンサによれば、光源から照射した光の導光路を延長して全反射させるので副走査方向に伝搬させる光を効率良く通過させる効果がある。
【００５３】
実施の形態５．
実施の形態１、３及び４では、副走査方向に光を導光すると共に射出面で全反射した光を被照射体の照射部に照射する導光体と開口部を通過するアパーチャーの結像手段を用いて説明したが実施の形態５では、アパーチャーの窓（開口部）で反射する結像手段を用いた場合について説明する。
【００５４】
この発明の実施の形態５について図２３を用いて説明する。図２３は、実施の形態５によるイメージセンサの断面図である。図２３において、１０６は照射部５からの散乱光を副走査方向に反射させる第１ミラー、１０７は第１ミラー１０６からの反射光を受光する凹型の第１レンズミラー（第１レンズ  第１非球面ミラーとも呼ぶ）、１０８は第１レンズ１０７からの平行光を受光するアパーチャー（アパーチャミラー）、１０９はアパーチャミラー１０８からの反射光を受光する凹型の第２レンズミラー（第２レンズ  第２非球面ミラーとも呼ぶ）、１１０は周囲が遮光され、アパーチャミラー１０８に入反射する光の色収差を緩和するアパーチャミラー１０８の表面に設けた開口部、１１１は第２レンズ１０９からの光を受光し、反射させる第２ミラーである。図中、図１及び図４と同一符号は、同一又は相当部分を示す。
【００５５】
図２４は、図２３に示した断面図の主走査方向の別位置における断面図であり、結像光学系部分（結像ユニットとも呼ぶ）は図２３と読取位置に対してシンメトリーの構造となっている。図中、図２３と同一符号は同一又は相当部分を示す。
【００５６】
図２５は、光学レンズ系の構成図であり、１１７は第１レンズ１０７及び第２レンズ１０９を一体的に配置するレンズ受け台、１１８はレンズ受け台１１７上にアレイ状に設置した第１レンズ１０７及び第２レンズ１０９相互の光の干渉を防止する遮光板である。レンズ受け台１１７、第１レンズ１０７及び第２レンズ１０９はアクリル樹脂で構成し、レンズのミラー面を除き黒色遮光材料を塗布している。なお、レンズ受け台１１７、第１レンズ１０７及び第２レンズ１０９はアクリル樹脂で一体成形しても良い。図中、図２３と同一符号は同一、又は相当部分を示す。
【００５７】
図２６は、光学レンズ系とミラー系を含めた結像系の模式側面図であり、アパーチャミラー１０８を挟んで対向するように第１ミラー１０６と第２ミラー１１１とが隣接するアレイに対して互い違いの構造とし帯状に連続配置される。アパーチャミラー１０８の表面は黒色樹脂又は金属薄板に孔を設け開口部１１０を６ｍｍピッチで離散的にアレイ状に設置している。図中、図２３及び図２４と同一符号は、同一又は相当部分を示す。
図２７は副走査方向の光学距離について説明する図であり、第１レンズ１０７の一方の焦点位置は、変動する被照射体１の照射部５と略一致しており、他方の焦点位置はアパーチャミラー１０８と一致している。また、第２レンズ１０９の一方の焦点位置は、アパーチャミラー１０８と一致しており、他方の焦点位置は受光面と一致している。すなわち、Ｌ３＝Ｌ１＋Ｌ２、Ｌ４＝Ｌ５＋Ｌ６、Ｌ３＝Ｌ４＋Ｂの関係がある。
【００５８】
図２８は光の経路に加えて光束を具現化した模式図であり、アパーチャミラー１０８には平行光が通過することを示している。
【００５９】
図２９は本実施の形態５における隣接するアレイ状の光学系を合わせた副走査方向の光の経路を具現化したものであり、第１レンズ１０７から第２レンズ１０９までの光学距離Ｌ３及びＬ４は略平行光である。なお、第１ミラー１０６から副走査方向に反射させる散乱光はミラー対象であれば隣接するアレイ毎にどちらの方角に放射しても良く、受光面に設置される受光部２８もＬ４＝Ｌ５＋Ｌ６を満足すれば任意の位置でよい。
【００６０】
なお、第２レンズ１０９から受光部１２に入射した光を光電変換するプロセス以降は実施の形態１で説明したものと同一なので説明を省略する。
【００６１】
以上から実施の形態５に係るイメージセンサによれば、アパーチャーが反射型であってもテレセントリック光学系を構成できるので、実施の形態１に記載の効果に加えて光学レンズ系とミラー系をそれぞれ一体成形可能でコンパクトなＣＩＳの結像ユニットを構成できる。
【図面の簡単な説明】
【００６２】
【図１】この発明の実施の形態１によるイメージセンサの断面図である。
【図２】この発明の実施の形態１によるイメージセンサの主走査方向別位置から見た断面図である。
【図３】この発明の実施の形態１によるイメージセンサの結像光学系内部を流れる光を説明する模式平面図である。
【図４】この発明の実施の形態１によるイメージセンサの側面を含む全体構成図であり、図４（ａ）は各側面を参照図示した平面図、図４（ｂ）は照明光学系と結像ユニットとを分離した場合の側面参考図である。
【図５】この発明の実施の形態１によるイメージセンサのセンサ基板の平面図である。
【図６】この発明の実施の形態１によるイメージセンサのセンサＩＣの平面図である。
【図７】この発明の実施の形態１によるイメージセンサのブロック構成図である。
【図８】この発明の実施の形態１によるイメージセンサのセンサＩＣ同士の結線図である。
【図９】この発明の実施の形態１によるイメージセンサのセンサＩＣ同士の他実施例による結線図である。
【図１０】この発明の実施の形態１によるイメージセンサのタイミングチャートである。
【図１１】この発明の実施の形態１によるイメージセンサの光の経路を説明する原理図である。
【図１２】この発明の実施の形態１によるイメージセンサの光の経路を説明する原理図である。
【図１３】この発明の実施の形態１によるイメージセンサの逆像データの並べ替え及び信号処理を説明する図である。
【図１４】この発明の実施の形態１によるイメージセンサの比較・照合・間引・修復回路を説明するブロック図である。
【図１５】この発明の実施の形態１によるイメージセンサの副走査方向の光経路を説明する図である。
【図１６】この発明の実施の形態１によるイメージセンサの副走査方向の具現化した光経路を説明する図である。
【図１７】この発明の実施の形態１によるイメージセンサの副走査方向の具現化した光経路を説明する図である。
【図１８】この発明の実施の形態２によるイメージセンサの断面図である。
【図１９】この発明の実施の形態３によるイメージセンサの断面図である。
【図２０】この発明の実施の形態４によるイメージセンサの導光路を延長した断面図である。
【図２１】この発明の実施の形態４によるイメージセンサの導光路をさらに延長した断面図である。
【図２２】この発明の実施の形態４によるイメージセンサの信号処理基板に光源を搭載した断面図である。
【図２３】この発明の実施の形態５によるイメージセンサの断面図である。
【図２４】この発明の実施の形態５によるイメージセンサの主走査方向別位置から見た断面図である。
【図２５】この発明の実施の形態５によるイメージセンサの光学レンズ系の構成図である。
【図２６】この発明の実施の形態５によるイメージセンサの光学レンズ系とミラー系を含めた光学系の模式側面図である。
【図２７】この発明の実施の形態５によるイメージセンサの副走査方向の光経路を説明する図である。
【図２８】この発明の実施の形態５によるイメージセンサの副走査方向の具現化した光経路を説明する図である。
【図２９】この発明の実施の形態５によるイメージセンサの副走査方向の具現化した経路を説明する図である。
【符号の説明】
【００６３】
１・・被照射体（原稿）  ２・・天板  ３・・導光体  ３ａ・・出射部(射出部)
４・・透過体
５・・照射部  ６・・第１ミラー  ７・・第１レンズ（第１非球面ミラー）
８・・アパーチャー  ９・・第２レンズ（第２非球面ミラー）  １０・・開口部
１１・・第２ミラー  １２・・センサＩＣ  １３・・センサ基板
１３ａ・・第１センサ基板  １３ｂ・・第２センサ基板
１４・・信号処理ＩＣ（ＡＳＩＣ）  １５・・電子部品
１６・・結像系筐体（結像ユニット）
１７・・弾性部材  １８・・スリット部
１９・・信号処理基板  ２０・・内部コネクタ
２１・・光学セル（ホルダー）  ２２・・遮光板
２３・・光源（ＬＥＤアレイ）  ２３ａ・・ＬＥＤチップ
２４・・照明系筐体（照明ユニット）
２５・・固定用ねじ（ねじ）  ２６・・位置決めピン  ２７・・外部コネクタ
２８・・画素（ビット）  ２９・・光電変換及びＲＧＢシフトレジスタ駆動回路
３０・・Ｗ／Ｂパッド部
３１・・増幅器  ３２・・Ａ／Ｄ変換器  ３３・・信号処理部
３４・・システムインターフェース回路  ３５・・ＲＡＭ（ランダムアクセスメモリ）
３６・・ＣＰＵ  ３７・・光源駆動回路
５０・・ロッドレンズアレイ（レンズ体）
５１・・センサ基板  ５２・・信号処理基板  ５３・・内部コネクタ
６０・・導光体  ６０ａ・・第１反射部  ６０ｂ・・第２反射部（出射領域）
６１・・導光体  ６２・・導光体
１０６・・第１ミラー  １０７７・・第１レンズ（第１非球面ミラー）
１０８・・アパーチャミラー(アパーチャー)
１０９・・第２レンズ（第２非球面ミラー）
１１０・・開口部  １１１・・第２ミラー  １１７・・レンズ受け台
１１８・・遮光板
【図１０】
0004594411.tif 000002
【図１３】
0004594411.tif 000003
【図１４】
0004594411.tif 000004
【図１７】
0004594411.tif 000005
【図２９】
0004594411.tif 000006
【図１】
0004594411.tif 000007
【図２】
0004594411.tif 000008
【図３】
0004594411.tif 000009
【図４】
0004594411.tif 000010
【図５】
0004594411.tif 000011
【図６】
0004594411.tif 000012
【図７】
0004594411.tif 000013
【図８】
0004594411.tif 000014
【図９】
0004594411.tif 000015
【図１１】
0004594411.tif 000016
【図１２】
0004594411.tif 000017
【図１５】
0004594411.tif 000018
【図１６】
0004594411.tif 000019
【図１８】
0004594411.tif 000020
【図１９】
0004594411.tif 000021
【図２０】
0004594411.tif 000022
【図２１】
0004594411.tif 000023
【図２２】
0004594411.tif 000024
【図２３】
0004594411.tif 000025
【図２４】
0004594411.tif 000026
【図２５】
0004594411.tif 000027
【図２６】
0004594411.tif 000028
【図２７】
0004594411.tif 000029
【図２８】
0004594411.tif 000030